(57)【要約】【課題】ラジオと液晶が付いたディスクメディア再生器の液晶関連部品からのフェライトアンテナに侵入するノイズを、安価な構成でシールドすることを目的とする。【解決手段】液晶表示板６とその配線から発生したノイズが金属膜を有するディスクメディア１５を伝搬してフェライトアンテナ８の上部から放出されるのを、グランドに接続されたシールド板２４をフェライトアンテナ８を覆うように配置することで安価な構成で液晶表示板６から発生するノイズのフェライトアンテナ８への侵入をシールドできる。【選択図】  図１
2004342143.tif 000002
【特許請求の範囲】
【請求項１】
液晶表示部を有する蓋部と、該蓋部と開閉自在に係合された主筐体部と、該主筐体部に内蔵され、金属箔を有するディスクメディアの再用回路とフェライトアンテナを有したラジオ用回路を実装したプリント基板と、該液晶表示部と該プリント基板を電気的に接合する配線手段と、該主筐体部に保持され、該ディスクメディアの脱着が可能な再生メカ部とを有し、該ディスクメディアが、該再生メカ部に装着された状態の時、該液晶表示部と該フェライトアンテナの間に配置されるラジオおよび液晶付きディスクメディア再生器に内蔵された電磁シールド機構であって、該フェライトアンテナと該ディスクメディアの間に設置され、該プリント基板のグランド電極と接合したシールド板を有することを特徴とする電磁シールド機構。
【請求項２】
液晶表示部を有する蓋部と、該蓋部と開閉自在に係合された主筐体部と、該主筐体部に保持され、金属箔を有するディスクメディアの脱着が可能な再生メカ部と、該主筐体部に内蔵され、該液晶表示部を駆動する回路と該ディスクメディアを再生する回路とフェライトアンテナを有したラジオ用回路とを実装したプリント基板とを有するラジオおよび液晶付きディスクメディア再生器に内蔵された電磁シールド機構であって、該液晶表示部と該プリント基板を電気的に接続する配線基板と、該配線基板の該液晶表示部用の配線の裏側に配置された導電性のシールド板と、該シールド板をグランド電極に接続する接続手段とを有することを特徴とする電磁シールド機構。
【請求項３】
薄板状の基材の表側に配線パターンと電磁波を遮蔽するシールドパターンとが導電ペーストで印刷された印刷配線基板に関して、その印刷面が内側になるように該印刷配線基板の所定の部分を折り曲げて、該シールドパターンの領域を、該配線パターンの該基材の裏側のノイズを発生する領域に、潜り込ませて重ね合わせたことを特徴とする電磁シールド機構。
【請求項４】
液晶表示部を有する蓋部と、該蓋部と開閉自在に係合された主筐体部と、該主筐体部に保持され、金属箔を有するディスクメディアの脱着が可能な再生メカ部と、該主筐体部に内蔵され、該液晶表示部を駆動する回路と該ディスクメディアを再生する回路とフェライトアンテナを有したラジオ用回路とを実装したプリント基板とを有するラジオおよび液晶付きディスクメディア再生器に、電磁シールド機構が内蔵されたことを特徴とする請求項３に記載の電磁シールド機構。
【発明の詳細な説明】
【０００１】
【発明の属する技術分野】
本発明は、電気回路から発生するノイズをシールドする機構と、液晶表示部とラジオを有する携帯型のディスクメディア再生器の液晶関連部品からラジオ受信部に侵入するノイズをシールドする機構に関するものである。
【０００２】
【従来の技術】
ラジオと液晶を有した携帯型ディスクメディア再生器に内蔵された従来の電磁ノイズシールド機構について、図９から図１２（ｂ）を用いて説明する。図９は従来の電磁ノイズシールド機構が内蔵されたラジオと液晶表示部を有した携帯型ディスクメディア再生器を示す平面図、図１０は図９のＡ−Ｂ−Ｃ−Ｄ断面を示す断面図、図１１は図１０の部品を上下方向に移動させた分解断面図、図１２（ａ）は従来の電磁ノイズシールド機構の要部を示す詳細図、図１２（ｂ）は図１２（ａ）のＥ−Ｅ断面図である。図９から図１２（ｂ）に示すように、蓋部１の構造は、上蓋２と蓋カバー３の間にサブプリント基板４をビス５により締結された構造になっている。サブプリント基板４の上面には、液晶表示板６が、５０ミクロン厚の導電性シリコンゴムと５０ミクロン厚の絶縁性シリコンゴムが交互に積層された硬度６０度のゼブラゴムコネクタ７を介して接続され、液晶表示板６を駆動する液晶駆動回路（図示省略）とフェライトアンテナ８とＡＭおよびＦＭチューナ回路（図示省略）とコネクタ９が実装されている。
【０００３】
主筐体部１０の構造は、中間枠体１１と底筐体１２の間でプリント基板１３をビス１４により締結された構造になっており、アルミなどの金属箔を有しそこに情報を記録されたディスクメディア１５が装着されたときにそれを回転しその情報を読み取る再生メカ部１６を、弾性ゴム（図示省略）を介して、中間枠体１１と底筐体１２の間から出たボス（図示省略）により保持した構造になっている。
【０００４】
主筐体部１０と蓋部１は、中間枠体１１の回動軸１７ａ，１７ｂと上蓋２の回動軸受け１８ａ，１８ｂとの嵌合によりそれらの軸を中心に開閉自在になっている。再生メカ部１６とプリント基板１３はフレキシブルケーブル（図示省略）で接続されている。プリント基板１３には、ディスクメディア１５の再生回路（図示省略）とコネクタ１９とが実装されている。サブプリント基板４とプリント基板１３は、コネクタ９とフレキシブルケーブル２０とコネクタ１９で接合されている。サブプリント基板４は、フェライトアンテナ８と液晶関連部品とが近接しているため、ＡＭラジオ受信時に、液晶関連部品から発生するノイズを受信してしまう。このノイズをシールドするために、図１２（ａ）、図１２（ｂ）に示すように、サブプリント基板４にグランド接続されたシールド板２１で、液晶表示板６の表示面外周近傍と側面部を覆い、さらに、サブプリント基板４の下面２２には、グランドに接続されたベタパターンを、液晶表示板６と液晶駆動ＩＣ（図示省略）とそれらをつなぐ配線パターンの対面領域に形成し、フェライトアンテナ８への電磁ノイズの侵入を防止している。
【０００５】
また、本発明の請求項３に対する従来の電磁シールド機構としては、例えば、特許文献１に記載されているようなものがあるが、この公報の電磁シールドプリント配線基板は、金属薄膜を絶縁フィルムにラミネートしそれをパターンエッティングした後その上に回路部品を実装しエッティングされてない金属薄膜の領域をその部品上に被覆してその部品からのノイズをシールドするものであるが、金属薄膜を用いているため、絶縁フィルムを金属薄膜側に折り返しても、絶縁フィルム側に折り返しても金属薄膜にクラックが発生して断線することは希である。
【０００６】
これに対して、コストが低い柔軟な配線基板として、０．１ｍｍ厚のポリエチレンテレフタレートの基材の上に銀などの導電ペーストで配線パターンをスクリーン印刷した印刷配線基板があるが、導電ペーストをスクリーン印刷しているために、印刷側を外側に折り返すと導電ペーストにクラックが発生してしまうため印刷側を内側にして折り返すことしかできない制約がある。
【０００７】
【特許文献１】
特開昭６０―１６０６８４号公報（第４図、第６図）
【０００８】
【発明が解決しようとする課題】
しかしながら、上記の従来のラジオと液晶を有した携帯型ディスクメディア再生器に内蔵された従来の電磁ノイズシールド機構の構成では、メインプリント基板のほかにチューナおよび液晶関連部品が実装されたサブプリント基板が必要であるため、コスト高となる欠点があった。
【０００９】
本発明は、上記課題を解決するために、メインプリント基板にチューナ回路と液晶駆動回路を一体化し、液晶関連部からフェライトアンテナ８に侵入するノイズをシールドする新たな構成を提供することを目的とする。
【００１０】
【課題を解決するための手段】
この課題を解決するために、請求項１記載の本発明は、液晶表示部を有する蓋部と、該蓋部と開閉自在に係合された主筐体部と、該主筐体部に内蔵され、金属箔を有するディスクメディアの再用回路とフェライトアンテナを有したラジオ用回路を実装したプリント基板と、該液晶表示部と該プリント基板を電気的に接合する配線手段と、該主筐体部に保持され、該ディスクメディアの脱着が可能な再生メカ部とを有し、該ディスクメディアが、該再生メカ部に装着された状態の時、該液晶表示部と該フェライトアンテナの間に配置されるラジオおよび液晶付きディスクメディア再生器に内蔵された電磁シールド機構であって、該フェライトアンテナと該ディスクメディアの間に設置され、該プリント基板のグランド電極と接合したシールド板を有した構成にしたものである。
【００１１】
これにより、プリント基板が１枚で構成された場合でも、フェライトアンテナへの液晶関連部品からの電磁ノイズをシールドすることができコストの低減が可能になる。
【００１２】
また、この課題を解決するために、請求項２記載の本発明は、液晶表示部を有する蓋部と、該蓋部と開閉自在に係合された主筐体部と、該主筐体部に保持され、金属箔を有するディスクメディアの脱着が可能な再生メカ部と、該主筐体部に内蔵され、該液晶表示部を駆動する回路と該ディスクメディアを再生する回路とフェライトアンテナを有したラジオ用回路とを実装したプリント基板とを有するラジオおよび液晶付きディスクメディア再生器に内蔵された電磁シールド機構であって、該液晶表示部と該プリント基板を電気的に接続する配線基板と、該配線基板の該液晶表示部用の配線の裏側に配置された導電性のシールド板と、該シールド板をグランド電極に接続する接続手段とを有した構成にしたものである。
【００１３】
これにより、プリント基板が１枚で構成された場合でも、フェライトアンテナへの液晶関連部品からの電磁ノイズをシールドすることができコストの低減が可能になる。
【００１４】
また、この課題を解決するために、請求項４記載の本発明は、液晶表示部を有する蓋部と、該蓋部と開閉自在に係合された主筐体部と、該主筐体部に保持され、金属箔を有するディスクメディアの脱着が可能な再生メカ部と、該主筐体部に内蔵され、該液晶表示部を駆動する回路と該ディスクメディアを再生する回路とフェライトアンテナを有したラジオ用回路とを実装したプリント基板とを有するラジオおよび液晶付きディスクメディア再生器に、電磁シールド機構が内蔵され、薄板状の基材の表側に配線パターンと電磁波を遮蔽するシールドパターンとが導電ペーストで印刷された印刷配線基板に関して、その印刷面が内側になるように該印刷配線基板の所定の部分を折り曲げて、該シールドパターンの領域を、該配線パターンの該基材の裏側のノイズを発生する領域に、潜り込ませて重ね合わせたことを特徴とする構成にしたものである。
【００１５】
これにより、プリント基板が１枚で構成された場合でも、フェライトアンテナへの液晶関連部品からの電磁ノイズをシールドすることができコストの低減が可能になる。
【００１６】
また、前記した導電ペーストで配線パターンをスクリーン印刷したコストが低い柔軟な印刷配線基板を折り曲げてノイズを発生する部品を覆いシールドする場合、導電ペーストをスクリーン印刷しているために、印刷側を外側に折り返すと導電ペーストにクラックが発生してしまうため印刷側を内側にして折り返すことしかできない課題に対しては、請求項３記載の本発明は、薄板状の基材の表側に配線パターンと電磁波を遮蔽するシールドパターンとが導電ペーストで印刷された印刷配線基板に関して、その印刷面が内側になるように該印刷配線基板の所定の部分を折り曲げて、該シールドパターンの領域を、該配線パターンの該基材の裏側のノイズを発生する領域に、潜り込ませて重ね合わせた構成にしたものである。
【００１７】
これにより、導電ペーストで印刷された印刷配線基板の一部にシールド機能を持たせることができるため、安価な構成で電磁ノイズをシールドすることができる。
【００１８】
【発明の実施の形態】
以下、本発明の実施の形態について、図１から図８を用いて説明する。
【００１９】
（実施の形態１）
図２は本発明の実施の形態１における電磁ノイズシールド機構を含むラジオおよび液晶付きポータブルディスクメディア再生器の平面図、図１は図２のＡ−Ｂ−Ｃ−Ｄ断面を示す断面図、図３は図１の部品を上下方向に移動させた分解断面図である。図１〜図３において、図９から図１２までと同じ構成については同じ符号を用い、説明を省略する。
【００２０】
実施の形態１の構成について説明する。図１〜図３に示すように、蓋部２３の構造は、上蓋４２と蓋カバー４３の間に、液晶表示板６とゼブラゴムコネクタ７と０．１ｍｍ厚のポリエチレンテレフタレートの基材に銀などの導電ペーストで配線をスクリーン印刷した印刷配線基板４５とを順に挟み込み、ビス４０により締結された構造になっている。前記ビス４０の締結により、液晶表示板６とゼブラゴムコネクタ７と印刷配線基板４５の電極部とが圧接され、液晶表示板６と印刷配線基板４５は電気的に接続されている。
【００２１】
主筐体部２５の構造は、中間枠体１１と底筐体１２との間でプリント基板１３をビス１４により締結した構造になっており、また、再生メカ部１６を中間枠体１１と底筐体１２の間から出たボス（図示省略）により弾性ゴム（図示省略）を介して保持した構造になっている。
【００２２】
主筐体部２５と蓋部２３は、中間枠体１１の回動軸１７ａ、１７ｂと上蓋２の回動軸受け１８ａ，１８ｂの嵌合により開閉自在になっている。再生メカ部１６とプリント基板１３は、フレキシブルケーブル（図示省略）で接続されている。プリント基板１３には、液晶駆動回路（図示省略）、フェライトアンテナ８、ＡＭおよびＦＭチューナ回路（図示省略）、ディスクメディア用回路（図示省略）、コネクタ１９、グランド電位となったチップリング２６が実装され、コネクタ１９に印刷配線基板４５が接続されている。
【００２３】
ＡＭラジオを聞く際に、図１に示すようなアルミなどの金属箔を有するディスクメディア１５を装着し蓋部２３を閉じた状態では、液晶表示板６とその配線から発生するノイズが、ディスクメディア１５の金属膜を伝搬しディスク表面から放出され、フェライトアンテナ８の上部にも放出される。このノイズを低減するために、シールド板２４が、中間枠体１１にビス３３で締結されており、中間枠体１１とプリント基板１３と底筐体１２を組み立てる際のビス１４の締結力により、シールド板２４の板バネ部４７が、グランド電位になっているチップリング２６に圧接されることにより、フェライトアンテナ８へ侵入するそのノイズを低減している。シールド板２４の形状は、このフェライトアンテナ８の上部に放出されるノイズを遮断するように図１に示すようにフェライトアンテナ８の上部を覆う形状となっている。図４にシールド板２４の形状を示す。図４は（ａ）がシールド板２４の平面図、（ｂ）はシールド板２４の右側面図、（ｃ）はシールド板２４の正面図である。
【００２４】
以上のように構成された電磁ノイズシールド機構により、シールド板２４は、フェライトアンテナ８のディスクメディア１５の側を覆っているため液晶表示板とその配線から発生するノイズの回り込みを、シールド板とビスとチップリングの３点で安価に遮蔽することができ、プリント基板を一枚で構成できコスト低減が可能となる。
【００２５】
（実施の形態２）
図５は本発明の実施の形態２における電磁ノイズシールド機構を含むラジオおよび液晶付きポータブルディスクメディア再生器の蓋部の部分断面であり、平面図は、図２と同等でありそのＡ−Ｂ−Ｃ−Ｄ断面の右側部分を図５は示す。図６は図５の分解断面図である。図５、図６において、図１から図３と同じ構成については同じ符号を用い、説明を省略する。図５に示す蓋部２７の構造で左側の省略部は図１の蓋部２３と同一である。
【００２６】
主筐体部の構造は、実施の形態１の主筐体部２５の構造から、シールド板２４とビス３３とチップリング２６を削除した構造となっている。主筐体部と蓋部２７の関係は実施の形態１と同等の開閉自在の関係になっている。
【００２７】
図５、図６に示すように蓋部２７の構造は、上蓋２８と蓋カバー２９の間に、液晶表示板６とゼブラゴムコネクタ７と印刷配線基板４５、導電性のシールド板３０を順に挟み込みビス４０により締結され、また、別の位置で、導電性ゴム３１と印刷配線基板４５、シールド板３０を順に挟み込みビス３２により締結された構造になっており、ビス４０の締結により、液晶表示板６とゼブラゴムコネクタ７と印刷配線基板４５の電極部とシールド板３０が圧接され液晶表示板６と印刷配線基板４５は電気的に接続され、また、ビス３２の締結により、導電性ゴム３１と印刷配線基板４５のグランド電極部と、シールド板３０が圧接されることでシールド板３０がグランド電位に接続される。
【００２８】
ここではシールド板３０のグランド接続に導電性ゴム３１を用いたが、シールド板３０をグランド電極に接続する別の方法としては、導電性ゴム３１の代わりに、金属製のバネを印刷配線基板４５のグランド電極部とシールド板３０に圧接しても同等の効果が得られる。
【００２９】
また、薄い導電性のシールド板を折り返して印刷配線基板４５のグランド電極部に当ててその部分をビス止めしてシールド板とそのグランド電極部を圧着しても同等の効果が得られる。
【００３０】
また、シールド板３０と印刷配線基板４５のグランド電極の接続を、先ず、印刷配線基板４５のグランド電極からゼブラゴムコネクタ７で液晶表示板６のグランド電極に接続し、印刷配線基板４５のゼブラゴムコネクタ７下部の位置に穴を設け、この穴の上部までそのグランド電極を延長しシールド板３０とゼブラコネクタ７と印刷配線基板４５を圧接することで裏側のシールド板を表側のグランド電極に接続しても同等の効果が得られる。
【００３１】
また、印刷配線基板４５の裏側の面にも導電ペーストを印刷してそれをシールドパターンとし、コネクタ１９を両面接続用のコネクタにして、そのコネクタの接点でシールドパターンをグランド電極に接続しても同等の効果が得られる。
【００３２】
また、印刷配線基板４５の裏側にも導電ペーストを印刷してそれを表側のグランド電位の配線にスルーホールで接続しても同等の効果が得られる。
【００３３】
シールド板３０のこの構成により、液晶表示板とその配線から発生するノイズのディスクメディア１５への放出を遮断しフェライトアンテナ８へのノイズの侵入を低減することができる。尚、液晶を駆動するＩＣから発生しフェライトアンテナ８に達するノイズは、そのＩＣとフェライトアンテナ８およびディスクメディア１５が十分離れているため、小さい。また、図５に示すシールド板３０が重なってない印刷配線基板４５の部分から発生しフェライトアンテナ８に達するノイズも、ディスクメディア１５の面とその部分の面の角度が直角に近いため、小さい。
【００３４】
以上のように構成された電磁ノイズシールド機構により、シールド板３０は、液晶表示板６とその配線の下側を覆っているためそれらから発生するノイズを遮蔽でき、シールド板３０とビス３２と導電ゴム３１の３点で低コストにその機構を実現できる。
【００３５】
（実施の形態３）
実施の形態３における電磁ノイズシールド機構を含むラジオおよび液晶付きポータブルディスクメディア再生器は、実施の形態１の構成からシールド板２４、ビス３３、チップリング２６を除き、印刷配線基板４５を、図７、図８に示す印刷配線基板３４に交換した構造になっている。
【００３６】
図７は印刷配線基板３４の展開図、図８は印刷配線基板３４を蓋部２３に組み込みんだ状態でフェライトアンテナ８と液晶表示板６との関係を示す図である。
【００３７】
印刷配線基板３４は、０．１ｍｍ厚のポリエチレンテレフタレートの基材の表面に銀などの導電ペーストで配線をスクリーン印刷したものであり、図７の印刷配線基板３４の展開図に示すようにベタパターンが銀などの導電ペーストで印刷されグランド電極になっているシールド部３５を有している。（但し、このシールド部３５は、ベタパターンでなく、シールド効果を発揮する格子状のパターンでもよい。）
印刷配線基板３４を蓋部２３に組み込むには、図７の展開状態から、前記導電ペーストが印刷されている表面を内側にミシン目３６の位置で折り曲げて、さらに印刷配線基板３４の裏面に、図８に示すように、シールド部３５の端部に設けた突起部３７を長孔３８に裏面から通し表側に出して仮固定し、シールド部３５が液晶表示板６とその配線の下側に重なるように織り込まれ重ね合わされた状態にし、つぎに、印刷配線基板３４に開けられた位置決め孔３９と位置決め孔４１とを蓋カバー２９に設けられた位置決めピンＡ（図示省略）に嵌合し、また、印刷配線基板３４に開けられた位置決め長孔４４を蓋カバー２９に設けられた位置決めピンＢ（図示省略）に嵌合して、印刷配線基板３４を蓋カバー２９の上に配置し、それらとゼブラゴムコネクタ７と液晶表示板６と上蓋４２とを重ね合わせ、ビス４０を蓋カバー２９の孔（図示省略）と印刷配線基板３４に開けられた孔４６とに通し上蓋４２に締結することで、印刷配線基板３４を蓋部に組み込む。
【００３８】
このように、導電ペーストの印刷側で曲げている理由は、上記基材の何も印刷されてない面の側に曲げると印刷された導電ペーストに引っ張り応力が生じ、導電ペーストは引っ張り応力に弱いためクラックが生じるからであり、ペーストを圧縮する印刷側に折ることでクラックの発生を防止している。
【００３９】
また、単純にペースト側を折り返し重ねるだけでは、シールド部３５が液晶表示板６とその配線パターンの間に配置されるので、配線パターンからのノイズがディスクメディア１５を伝搬しフェライトアンテナ８で受信されてしまいシールド効果を発揮できない。
【００４０】
印刷配線基板３４を組み込んだ蓋部２３は、上蓋４２と蓋カバー４３の間に、液晶表示板６とゼブラゴムコネクタ７と印刷配線基板３４と印刷配線基板３４のシールド部３５を順に挟み込みビス４０により締結された構造になっており、ビス４０の締結により、液晶表示板６とゼブラゴムコネクタ７と印刷配線基板３４の電極部が圧接され液晶表示板６と印刷配線基板３４は電気的に接続されている。
【００４１】
以上のように構成された電磁ノイズシールド機構により、印刷配線基板３４のシールド部３５が液晶表示板６とその配線の下側を覆っているためノイズを遮蔽でき、シールド部品が印刷配線基板３４だけですみコストを低減できる。
【００４２】
上記の実施の形態３では、液晶関連部品からのノイズを遮蔽する内容となっているが、基材の片側に導電ペーストで配線とシールド領域をスクリーン印刷した配線基板を、印刷面を内側に折り曲げそのシールド領域を基材の印刷されていない面に潜り込ませることで、配線基板の配線面と反対の面をシールドする必要のある電気機器にもこの構成は搭載可能である。
【００４３】
【発明の効果】
以上のように本発明によれば、ラジオおよび液晶付きディスクメディア再生器の液晶関連部品から発生するノイズがディスクメディアの金属膜を伝搬してフェライトアンテナに侵入するのを安価な構成で遮蔽できるといった効果が得られる。
【００４４】
また、本発明の請求項３によれば、配線基板の配線面と反対の面をシールドする必要のある電気機器に、基材の片側に導電ペーストで配線とシールド領域が印刷された配線基板を用いてもその印刷面を内側に折り曲げてそのシールド領域を基材の印刷されていない面に潜り込ませることで、クラックによる断線不良を発生させない印刷面を内側にした折り曲げにより、安価にシールドできるという効果が得られる。
【図面の簡単な説明】
【図１】本発明の実施の形態１における電磁ノイズシールド機構の断面図
【図２】本発明の実施の形態１における電磁ノイズシールド機構の平面図
【図３】本発明の実施の形態１における電磁ノイズシールド機構の分解断面図
【図４】（ａ）本発明の実施の形態１におけるシールド板の平面図
（ｂ）本発明の実施の形態１におけるシールド板の右側面図
（ｃ）本発明の実施の形態１におけるシールド板の正面図
【図５】本発明の実施の形態２における電磁ノイズシールド機構の部分断面図
【図６】本発明の実施の形態２における電磁ノイズシールド機構の部分分解断面図
【図７】本発明の実施の形態３における電磁ノイズシールド機構の印刷配線基板の展開図
【図８】本発明の実施の形態３における電磁ノイズシールド機構の平面図
【図９】従来の電磁ノイズシールド機構内蔵のラジオ液晶付き携帯型ディスクメディア再生器を示す平面図
【図１０】図９のＡ−Ｂ−Ｃ−Ｄ断面を示す断面図
【図１１】図１０の部品を上下方向に離した分解断面図
【図１２】（ａ）従来の電磁ノイズシールド機構の要部を示す詳細図
（ｂ）図１２（ａ）のＥ−Ｅ断面図
【符号の説明】
６  液晶表示板
８  フェライトアンテナ
１５  ディスクメディア
１３  プリント基板
２３  蓋部
２４  シールド板
２５  主筐体部
２７  蓋部
３０  シールド板
３１  導電性ゴム
３４  印刷配線基板
３５  シールド部
４５  印刷配線基板
【図１】
2004342143.tif 000003
【図２】
2004342143.tif 000004
【図３】
2004342143.tif 000005
【図４】
2004342143.tif 000006
【図５】
2004342143.tif 000007
【図６】
2004342143.tif 000008
【図７】
2004342143.tif 000009
【図８】
2004342143.tif 000010
【図９】
2004342143.tif 000011
【図１０】
2004342143.tif 000012
【図１１】
2004342143.tif 000013
【図１２】
2004342143.tif 000014